(57)【要約】 【課題】  収納体のコーナー部に設けた棚本体への物品の出し入れを容易に行いうるようにする。【解決手段】  収納体２のコーナー部の開口部２１の奥側の内部空間３に、前端面が開口部２１と並ぶ右方の内部に設けた可動レール１５により支持された棚本体１２を、開口部２１に向かって移動可能に、かつほぼ最大移動位置において可動レール１５への枢着部を中心として開口部側に水平回転し得るように設ける。  【選択図】  図１
2005224372.tif 000002
【特許請求の範囲】
【請求項１】
平面視Ｌ字状に配置され、コーナー部の左右いずれか一方の前面に開口部を有する収納体におけるコーナー部の内部空間に設けられる収納棚装置であって、前記開口部の奥側の内部空間に、前端面が前記開口部と並ぶ内方において前記収納体の内部に設けたガイド手段により支持された棚本体を、開口部に向かって側方に移動可能に、かつほぼ最大移動位置において前記ガイド手段への枢着部を中心として開口部側に水平回転し得るように設けたことを特徴とするコーナー用収納棚装置。
【請求項２】
ガイド手段が、収納体側に取付けられた固定ガイドレールと、棚本体の前端面に取付けられ、前記固定ガイドレールに沿って側方に摺動する可動レールとからなり、該可動レールの開口部側の側端に、棚本体を水平回転可能に枢着した請求項１に記載のコーナー用収納棚装置。
【請求項３】
固定ガイドレールが、可動レールの上下方向の中間部を保持してガイドする第１固定ガイドレールと、可動レールの下端を保持してガイドする第２固定ガイドレールとからなっている請求項２に記載のコーナー用収納棚装置。
【請求項４】
第１固定ガイドレールを、先端が内向きに折曲された側面視コ字状として、可動レールに枢着した前後方向を向く軸回りに回転するガイドローラを嵌挿するとともに、第２固定ガイドレールを側面視上向きコ字状として、可動レールに枢着した上下方向を向く軸回りに回転するガイドローラを嵌挿した請求項３に記載のコーナー用収納棚装置。
【請求項５】
可動レールの中央部の上端に、前後方向を向く軸回りに回転するガイドローラを枢着し、このガイドローラの下面を、収納体に固着された後方を向く水平の支持板の上面に転動可能に当接させた請求項１ないし４のいずれかに記載のコーナー用収納棚装置。
【請求項６】
棚本体を開口部側に水平回転させたとき、該棚本体の回転方向の側部が開口部より前方に突出するように枢着した請求項１ないし５のいずれかに記載のコーナー用収納棚装置。
【請求項７】
棚本体の枢着位置を、該棚本体の前端面の左右方向の中央寄りとした請求項１ないし６のいずれかに記載のコーナー用収納棚装置。
【請求項８】
棚本体と固定ガイドレールとに、棚本体が開口部に向かって最大限移動する間、その水平回動を拘束する拘束手段を設けた請求項２ないし７のいずれかに記載のコーナー用収納棚装置。
【請求項９】
拘束手段が、棚本体の上部に前向きに突設され、前端に上下方向を向く保持片を有する拘束部材と、前記保持片を側方に摺動自在にガイドするとともに、開口部側の適所に、保持片を解放して棚本体を回転可能としうる切欠きを有するガイドレールとを備えるものとした請求項８に記載のコーナー用収納棚装置。
【請求項１０】
拘束部材の保持片に、ガイドレールに沿って転動する保持ローラを設けた請求項９に記載のコーナー用収納棚装置。
【請求項１１】
可動レールが開口部側に最大限移動したとき、該可動レールが開口部と反対方向に移動するのを阻止するロック手段を設けた請求項１ないし１０のいずれかに記載のコーナー用収納棚装置。
【請求項１２】
ロック手段が、拘束手段のガイドレールの後面と対向するようにして、可動レールの上面に水平回動可能かつ前記ガイドレール側に付勢して枢着され、拘束部材の保持片又は該保持片に設けた保持ローラが切欠きに到達して解放されたとき、前記ガイドレールの方向に回動して該ガイドレールの側端と係合する係止レバーを備えている請求項１１に記載のコーナー用収納棚装置。
【請求項１３】
係止レバーに、棚本体の前面と当接するように常時棚本体側に付勢され、かつ拘束部材の保持片又は該保持片に設けた保持ローラが切欠きにより解放されて棚本体を可動レールと離れる方向に回動したとき、前記係止レバーがガイドレールの側端と係合し、棚本体を可動レールと接近する方向に回動したとき、棚本体の前面により押動されて前記係止レバーとガイドレールとの係合を解除するロック解除レバーを、一体的に連設してなる請求項１２に記載のコーナー用収納棚装置。
【請求項１４】
請求項１ないし１３のいずれかに記載のコーナー用収納棚装置を設けたことを特徴とするキッチン台。
【発明の詳細な説明】
【技術分野】
【０００１】
本発明は、システムキッチンや流し台等の収納体のコーナー部に設けられるコーナー用収納棚装置およびキッチン台に関する。
【背景技術】
【０００２】
従来、システムキッチン等のコーナー部における前面の左右いずれか一方に開口部を形成し、この開口部側の内部空間に第１可動棚を前後に移動可能に設けるとともに、その奥側に、第２移動棚を第１移動棚側に移動可能に設け、第１移動棚を開口部より前方に引き出して、第２移動棚を開口部側に向かって側方に移動させることにより、それへの物品の出し入れを容易としたものや、コーナー部の内部空間に、開口部の側縁近傍を中心として水平回動可能な半円形の回転棚を設け、それをほぼ９０°回転させて開口部より手前に突出させることにより、物品の出し入れを容易に行い得るようにしたものがある（例えば、特許文献１参照）。
【０００３】
【特許文献１】特開平４−３２５１０８号公報（図２，５）
【発明の開示】
【発明が解決しようとする課題】
【０００４】
上記第１移動棚と第２移動棚とを設けたものでは、第２移動棚を開口部側に向かって側方に移動させたとしても、開口部より離れた奥部側に位置しているので、それに物品を出し入れするためには、手を奥まで差し入れる必要があり、使い勝手が悪い。
【０００５】
また、上記のような回転棚を設けたものでは、回転棚のほぼ半分が、常時開口部の後方の内部空間に位置しているので、その空間を有効に利用し得ないだけでなく、回転棚の形状が半円形をなし、かつ開口部の側縁付近を中心として回転するため、コーナー部の奥部にデッドスペースが形成されるという問題もある。
【０００６】
本発明は、上記問題点を解決するためになされたもので、棚本体への物品の出し入れが容易で、かつコーナー部にデッドスペースが形成されるのをなくして、その内部空間を有効に利用することができるようにしたコーナー用収納棚装置を提供することを目的としている。
【課題を解決するための手段】
【０００７】
上記目的を達成するために、本発明の請求項１に記載のコーナー用収納棚装置は、平面視Ｌ字状に配置され、コーナー部の左右いずれか一方の前面に開口部を有する収納体におけるコーナー部の内部空間に設けられる収納棚装置であって、前記開口部の奥側の内部空間に、前端面が前記開口部と並ぶ内方において前記収納体の内部に設けたガイド手段により支持された棚本体を、開口部に向かって側方に移動可能に、かつほぼ最大移動位置において前記ガイド手段への枢着部を中心として開口部側に水平回転し得るように設けたことを特徴としている。
この特徴によれば、棚本体は、収納体の開口部に向かって移動しうるだけでなく、最大移動位置において開口部側に水平回転させうるので、開口部より、棚本体に物品を容易に出し入れすることができる。また、棚本体は、常時開口部より離れた奥部の内部空間に位置しているので、開口部の後方の内部空間を有効に利用することができる。
【０００８】
本発明の請求項２に記載の収納棚装置は、請求項１に記載の収納棚装置であって、ガイド手段が、収納体側に取付けられた固定ガイドレールと、棚本体の前端面に取付けられ、前記固定ガイドレールに沿って側方に摺動する可動レールとからなり、該可動レールの開口部側の側端に、棚本体を水平回転可能に枢着することを特徴としている。
この特徴によれば、ガイド手段が内部空間に大きく突出するのを防止しうるとともに、棚本体は可動レールの開口部側の側端に枢着されているので、棚本体の開口部側への移動量が大となり、物品の出し入れをより容易に行うことができる。また、可動レールをそのままとして、棚本体のみを水平回転させることができる。
【０００９】
本発明の請求項３に記載の収納棚装置は、請求項２に記載の収納棚装置であって、固定ガイドレールが、可動レールの上下方向の中間部を保持してガイドする第１固定ガイドレールと、可動レールの下端を保持してガイドする第２固定ガイドレールとからなっていることを特徴としている。
この特徴によれば、可動レールが、第１および第２固定ガイドレールに案内されて、がたなく安定的に移動するので、棚本体が片持ち状態で可動レールに取付けられていても、棚本体を可動レールと共に安定して移動させることができる。
【００１０】
本発明の請求項４に記載の収納棚装置は、請求項３に記載の収納棚装置であって、第１固定ガイドレールを、先端が内向きに折曲された側面視コ字状として、可動レールに枢着した前後方向を向く軸回りに回転するガイドローラを嵌挿するとともに、第２固定ガイドレールを側面視上向きコ字状として、可動レールに枢着した上下方向を向く軸回りに回転するガイドローラを嵌挿したことを特徴としている。
この特徴によれば、固定ガイドレールに対し、可動レールが抵抗なく円滑に移動するので、可動レールに取付けた棚本体を軽い力で軽快に移動することができる。
【００１１】
本発明の請求項５に記載の収納棚装置は、請求項１ないし４のいずれかに記載の収納棚装置であって、可動レールの中央部の上端に、前後方向を向く軸回りに回転するガイドローラを枢着し、このガイドローラの下面を、収納体に固着された後方を向く水平の支持板の上面に転動可能に当接させたことを特徴としている。
この特徴によれば、棚本体による垂直荷重が、可動レールに枢着したガイドローラを介して水平の支持板により受け止められるので、可動レール及びそれに取付けた棚本体を、より円滑に移動させることができる。
【００１２】
本発明の請求項６に記載の収納棚装置は、請求項１ないし５のいずれかに記載の収納棚装置であって、棚本体を開口部側に水平回転させたとき、該棚本体の回転方向の側部が開口部より前方に突出するように枢着したことを特徴としている。
この特徴によれば、棚本体の側部への使用頻度の高い物品の出し入れを、極めて容易に行うことができる。
【００１３】
本発明の請求項７に記載の収納棚装置は、請求項１ないし６のいずれかに記載の収納棚装置であって、棚本体の枢着位置を、該棚本体の前端面の左右方向の中央寄りとしたことを特徴としている。
この特徴によれば、棚本体の回転半径が小さくなるので、その分、棚本体を大きくすることができ、物品の収納量を増加しうるとともに、コーナー部の内部空間のデッドスペースを小さくすることができる。
【００１４】
本発明の請求項８に記載の収納棚装置は、請求項２ないし７のいずれかに記載の収納棚装置であって、棚本体と固定ガイドレールとに、棚本体が開口部に向かって最大限移動する間、その水平回動を拘束する拘束手段を設けたことを特徴としている。
この特徴によれば、棚本体の移動途中に妄りに水平回転するのが防止されるので、その移動が容易となる。
【００１５】
本発明の請求項９に記載の収納棚装置は、請求項８に記載の収納棚装置であって、拘束手段が、棚本体の上部に前向きに突設され、前端に上下方向を向く保持片を有する拘束部材と、前記保持片を側方に摺動自在にガイドするとともに、開口部側の適所に、保持片を解放して棚本体を回転可能としうる切欠きを有するガイドレールとを備えるものとしたことを特徴としている。
この特徴によれば、棚本体を、ガイドレールにより水平回転を拘束した状態で安定して移動することができるとともに、拘束部材の保持片がガイドレールの切欠きに到達すると、棚本体を容易に水平回転させることができる。
【００１６】
本発明の請求項１０に記載の収納棚装置は、請求項９に記載の収納棚装置であって、拘束部材の保持片に、ガイドレールに沿って転動する保持ローラを設けたことを特徴としている。
この特徴によれば、ガイドレールと保持片との摺動抵抗が小さくなるので、棚本体を軽快に移動させることができる。
【００１７】
本発明の請求項１１に記載の収納棚装置は、請求項１ないし１０のいずれかに記載の収納棚装置であって、可動レールが開口部側に最大限移動したとき、該可動レールが開口部と反対方向に移動するのを阻止するロック手段を設けたことを特徴としている。
この特徴によれば、可動レールの動きがロックされるので、棚本体の水平回転が容易となる。
【００１８】
本発明の請求項１２に記載の収納棚装置は、請求項１１に記載の収納棚装置であって、ロック手段が、拘束手段のガイドレールの後面と対向するようにして、可動レールの上面に水平回動可能かつ前記ガイドレール側に付勢して枢着され、拘束部材の保持片又は該保持片に設けた保持ローラが切欠きに到達して解放されたとき、前記ガイドレールの方向に回動して該ガイドレールの側端と係合する係止レバーを備えていることを特徴としている。
この特徴によれば、棚本体が、ガイドレールの切欠きにより水平回転可能になると同時に、可動レールの動きが係止レバーにより自動的にロックされるので、棚本体の回転操作がより簡単となる。
【００１９】
本発明の請求項１３に記載の収納棚装置は、請求項１２に記載の収納棚装置であって、係止レバーに、棚本体の前面と当接するように常時棚本体側に付勢され、かつ拘束部材の保持片又は該保持片に設けた保持ローラが切欠きにより解放されて棚本体を可動レールと離れる方向に回動したとき、前記係止レバーがガイドレールの側端と係合し、棚本体を可動レールと接近する方向に回動したとき、棚本体の前面により押動されて前記係止レバーとガイドレールとの係合を解除するロック解除レバーを、一体的に連設してなることを特徴としている。
この特徴によれば、棚本体の移動時における可動レールのロックと、棚本体を元の位置に戻す際の可動レールのロック解除とを、棚本体の回動と連動する係止レバーとロック解除レバーとを備える１つのロック手段により、スムーズに行うことができる。
【００２０】
本発明の請求項１４に記載のキッチン台は、請求項１ないし１３のいずれかに記載のコーナー用収納棚装置を設けたことを特徴としている。
この特徴によれば、キッチン台コーナー部のデッドスペースを有効利用して、料理等に必要な用具や調味料関係の容器等を収納させることができる。
【発明を実施するための最良の形態】
【００２１】
以下、本発明の最良と思われる実施形態を、図面に基づいて説明する。
【００２２】
図１は、台所の壁面１に沿って平面視Ｌ字状に設置された収納体、すなわちシステムキッチン２のコーナー部の収納空間３内に、本発明の収納棚装置４を取付けた状態の横断平面図、図２は、図１のII−II線に沿う拡大縦断側面図である。
【００２３】
収納空間３の前方（図１の手前）の隔壁５の内面には、左右方向を向く側面視前向きコ字状をなす支持フレーム６の上下方向を向く取付片６ａがねじ止めされて固定されている。
【００２４】
支持フレーム６の上面には、その右端から中央部付近に至る長さの、後記する棚本体１２の回動拘束用のガイドレール７が、また内面中央部には、側面視コ字状をなし、上下の先端が内向きに折曲された第１固定ガイドレール８が、それぞれ左右方向を向いて固着されている。
【００２５】
支持フレーム６の左半部の下方における隔壁５の内面には、内端部に側面視上向きコ字状の第２固定ガイドレール９が形成された下部支持板１０の前端が固着され、また、支持フレーム６の上方の隔壁５の内面には、上部支持板１１が下部支持板１０と対向状に固着されている。
【００２６】
棚本体１２は、複数のワイヤを結合することにより、後面が円弧状に湾曲する扁平なかご状に形成され、左側面の前部には、把手１２ａが取付けられている。
【００２７】
棚本体１２の左右方向を向く前面の中央よりもやや左側方寄りには、側面視前向きコ字状の枢支片１３が固着され、この枢支片１３の上下の水平片１３ａは、外面の中央部が上記第１固定ガイドレール８に、複数の第１ガイドローラ１４を介して左右方向に移動可能に支持された、側面視前向きコ字状をなす可動レール１５の左側端の上下の水平片１５ａに、ピン１６により水平回動自在に枢着されている。
【００２８】
なお、可動レール１５の左右寸法は、第１固定ガイドレール８よりも短かく、棚本体１２の前面における右端から、ほぼ枢支片１３の取付部までの寸法とされている。
【００２９】
上記下方のピン１６の下向きの延長軸１７には、第２ガイドローラ１８が枢着され、この第２ガイドローラ１８は、上記第２固定ガイドレール９内に回動自在に嵌合されている。
【００３０】
また、可動レール１５の左端部の内面、すなわち棚本体１２の前面の左右方向の中央付近において立設された支持片１９の上端には、前後方向を向く軸回りに回転する第３のガイドローラ２０が枢着され、この第３ガイドローラ２０は、上記上部支持板１１の上面に沿って左方に転動するようになっている。
【００３１】
棚本体１２は、その荷重が第１ガイドローラ１４と第３ガイドローラ２０により支持されるとともに、第２ガイドローラ１８により前後方向のがた付きを防止されて、可動レール１５と共に左方に移動することができ、可動レール１５の左端又はピン１６が、システムキッチン２の前面に形成した開口部２１の右側端付近まで移動したとき、第２ガイドローラ１８が第２固定ガイドレール９の左端に設けたストッパ（図示略）と当接して停止するようになっている。
【００３２】
棚本体１２の前面の右端部には、図３の斜視図にも示すように、側面視倒立Ｌ字状の拘束部材２２が固着され、保持片として構成されているその前向水平片２２ａの前端には、垂直軸回りに回転する保持ローラ２３が枢着されている。この保持ローラ２３は、上記ガイドレール７の上向片７ａの前面に沿って転動し、上向片７ａの左端部寄りに形成された切欠き２４に達したとき、この切欠き２４を通して内方（後方）に移動することにより、棚本体１２は、可動レール１５の左端のピン１６を中心として、内方（開口部側）に水平回転可能となる。
【００３３】
なお、上記保持ローラ２３の代わりに、拘束部材２２の前端に下向の保持片を設け、この保持片をガイドレール７の上向片７ａの前面に摺接させるようにしてもよい。
【００３４】
可動レール１５の上部の水平片１５ａにおける拘束部材２２と近接する右方の端部には、垂直の支持軸２５が立設され、この支持軸２５には、左限位置まで移動した可動レール１５が右方に移動するのをロックしたり、そのロックを解除したりするロック及びロック解除手段２６が、水平回動可能に取付けられている。
【００３５】
ロック及びロック解除手段２６は、先端部に、ガイドレール７の上向片７ａの内面と近接する係止爪２７ａを有する上下１対の係止レバー２７，２７と、棚本体１２の前面に向かって延出し、先端に枢着した垂直軸回りに回転するローラ２８を、拘束部材２２の上端部前面に当接させてなるロック解除レバー２９とからなり、係止レバー２７とロック解除レバー２９は、支持軸２５に設けたねじりばね（図示略）等により、平面視反時計方向に付勢されている。
【００３６】
次に、上記実施形態の収納棚装置４の使用例について、図４ないし図７を参照して説明する。
【００３７】
棚本体１２がコーナー部の最奥部の収納空間３に位置している図１の状態において、システムキッチン２の開口部２１に設けた扉３０を開き、把手１２ａを左方に向かって引くと、図４に示すように、棚本体１２は、可動レール１５と共に、第１及び第２固定ガイドレール８，９に案内されて、可動レール１５の左端及びピン１６が、開口部２１の右側端と近接する左限位置まで移動し、棚本体１２における枢着部より左方の部分が開口部２１の後方の収納空間に位置する。従って、この状態において、棚本体１２の左半部に収納した比較的使用頻度の高い物品を取出したり、収納したりするのを容易に行うことができる。
【００３８】
また、棚本体１２を左側方に最大限移動させた際には、棚本体１２の右端部に拘束部材２２を介して取付けた保持ローラ２３が、ガイドレール７の切欠き２４の位置まで移動するとともに、ロック及びロック解除手段２６の係止レバー２７の係止爪２７ａの先端が、ガイドレール７の左端の直前に位置する。そのため、図５に示すように、棚本体１２を、ピン１６を中心として内方、すなわち平面視反時計方向に回転させることができる。
【００３９】
また、棚本体１２が回転すると、ロック及びロック解除手段２６のロック解除レバー２９のローラ２８も追従し、係止レバー２７がねじりばね等の付勢力により、平面視反時計方向に回動することにより、係止爪２７ａがガイドレール７の左端と係合する。これにより、可動レール１５が右方に移動するのがロックされ、その左端において棚本体１２を安定的に、かつ確実に回転させることができる。
【００４０】
図６は、棚本体１２を、その左側面がシステムキッチン２の右方の前面と当接又は近接するまで、ほぼ９０°回転させて、左側端部を開口部２１より前方に突出させた状態を示すもので、このように回転させることにより、棚本体１２全体への物品の出し入れが極めて容易となる。
【００４１】
上記の逆の操作により、棚本体１２を元の位置に戻すことができる。
【００４２】
この際、図７に示すように、棚本体１２を時計方向に回転させると、その前面に固着された拘束部材２２の前面が、ロック解除レバー２９のローラ２８を押圧し、ロック解除レバー２９と係止レバー２７が平面視時計方向に回動させられることにより、係止レバー２７の係止爪２７ａがガイドレール７の左端より外れ、可動レール１５のロックが解除されて、棚本体１２と共に右方に移動することができるようになる。
【００４３】
本発明は、上記実施形態に限定されるものではない。
【００４４】
棚本体１２が小型か、もしくは収納物品が軽量である場合には、第２固定ガイドレール９および第２ガイドローラを省略したり、上部支持板１１および第３ガイドローラ２０を省略したりすることもできる。
【００４５】
ロック解除レバー２９のない係止レバー２７のみを、ガイドレール７側に付勢して設け、保持ローラ２３が切欠き２４により解放されたときに、ガイドレール７の左端と係合して可動レール１５をロックし、ロック解除は手動により行うようにしてもよい。この際には、切欠き２４に係止レバー２７が突入しないように、それよりも左方に枢着すればよい。
【００４６】
上記実施形態では、収納棚装置４を１段としたが、上下複数段設けてもよく、また棚本体１２の形状を種々変更しうることは言うまでもない。
【００４７】
開口部２１に設けた扉３０を省略して、開口部２１の内部にキャスタ付きのワゴン等を収納してもよい。
【図面の簡単な説明】
【００４８】
【図１】本発明の収納棚装置を備えるシステムキッチンのコーナー部を横断して示す平面図である。
【図２】図１のII−II線の拡大縦断側面図である。
【図３】拘束手段とロック及びロック解除手段とを内方より見た要部の斜視図である。
【図４】棚本体を、保持ローラが切欠きに到達するまで移動させた状態の拡大平面図である。
【図５】同じく、図４の位置において若干水平回転させたときの平面図である。
【図６】同じく、棚本体を９０°まで回転させたときの平面図である。
【図７】同じく、棚本体を元の位置に戻す際に、ロック解除レバーを押圧したときの平面図である。
【符号の説明】
【００４９】
１                壁面
２                システムキッチン（収納体）
３                収納空間
４                収納棚装置
５                隔壁
６                支持フレーム
６ａ              取付片
７                ガイドレール
７ａ              上向片
８                第１固定ガイドレール
９                第２固定ガイドレール
１０              下部支持板
１１              上部支持板
１２              棚本体
１２ａ            把手
１３              枢支片
１３ａ            水平片
１４              第１ガイドローラ
１５              可動レール
１５ａ            水平片
１６              ピン
１７              延長軸
１８              第２ガイドローラ
１９              支持片
２０              第３ガイドローラ
２１              開口部
２２              拘束部材
２２ａ            前向水平片（保持片）
２３              保持ローラ
２４              切欠き
２５              支持軸
２６              ロック及びロック解除手段
２７              係止レバー
２７ａ            係止爪
２８              ローラ
２９              ロック解除レバー
３０              扉
【図１】
2005224372.tif 000003
【図２】
2005224372.tif 000004
【図３】
2005224372.tif 000005
【図４】
2005224372.tif 000006
【図５】
2005224372.tif 000007
【図６】
2005224372.tif 000008
【図７】
2005224372.tif 000009